(57)【要約】【課題】スクリーン巻取ユニットを垂下げるときに平坦な状態に保持するコードレス電動省エネ型ロールスクリーン構造を提供する。【解決手段】コードレス電動省エネロールスクリーン構造は、電動ロールスクリーン装置１、スクリーン装置２及び結合部材３を備える。電動ロールスクリーン装置１は、スクリーンユニット１１、伝動ユニット１２、フレームユニット１３、信号受信器１４及び制御器１５を有する。スクリーンユニット１１は、伝動軸１１１、巻布１１２及び重り杆１１３を有する。伝動軸１１１は、一端にチャンバが画成され、他端に枢着端が画成される。巻布１１２は、頂端が伝動軸１１１に連結固定され、底端がスクリーン管部１１２１に縫着される。重り杆１１３は、スクリーン管部１１２１内に配設される。伝動ユニット１２は、スクリーンユニット１１の伝動軸１１１のチャンバ内に配設される。【選択図】図１
0003205532.tif 000002
【実用新案登録請求の範囲】
【請求項１】
電動ロールスクリーン装置、スクリーン装置及び結合部材を備えた省エネ型コードレス電動ロールスクリーン構造であって、
前記電動ロールスクリーン装置は、スクリーンユニット、伝動ユニット、フレームユニット、信号受信器及び制御器を有し、
前記スクリーンユニットは、伝動軸、巻布及び重り杆を有し、前記伝動軸は、一端にチャンバが画成され、他端に枢着端が画成され、前記巻布は、頂端が前記伝動軸に連結固定され、底端がスクリーン管部に縫着され、前記重り杆は、前記スクリーン管部内に配設され、
前記伝動ユニットは、前記スクリーンユニットの前記伝動軸の前記チャンバ内に配設されるとともに、前記伝動軸により前記巻布を巻き上げたり繰り出して垂下げ、
前記フレームユニットには、前記スクリーンユニット及び前記伝動ユニットが組立結合され、前記フレームユニットは、固定レール、第１の側座、第２の側座及び回転ホイールアセンブリを有し、前記第１の側座は、前記固定レールの一端に設置されて結合されるとともに、前記伝動ユニットが嵌着固定され、前記第２の側座は、前記固定レールの他端に設置されて結合され、前記第２の側座は、前記スクリーンユニットの前記伝動軸の前記枢着端に嵌着固定され、前記回転ホイールアセンブリは、前記第２の側座内に配設されるとともに、前記スクリーンユニットの前記伝動軸の前記枢着端に枢着され、
前記信号受信器は、前記伝動ユニットと電気的に接続され、
前記制御器は、前記信号受信器と通信し、前記信号受信器へ信号を送信して前記伝動ユニットの運転動作のオン・オフを制御し、
前記スクリーン装置は、スクリーン用の布と、重り杆と、複数の挟持ユニットとを含み、
前記スクリーン用の布は、頂端が前記電動ロールスクリーン装置の前記フレームユニットの前記固定レールの後方上縁に固定されて垂下げた状態にし、前記スクリーン用の布の底端には、前記スクリーン管部が縫着され、前記スクリーン用の布の前面には、上下に配列された複数の穿孔スリーブが縫着され、
前記重り杆は、前記スクリーン用の布の前記スクリーン装置内に配設され、
前記挟持ユニットは、杆体と、２つの挟持ブロックと、複数の固定部材と、をそれぞれ有し、前記杆体は、前記スクリーン用の布の各前記穿孔スリーブ内にそれぞれ配設され、前記挟持ブロックは、前記杆体の両端にそれぞれ配設され、前記固定部材は、各前記挟持ブロックに螺着されて前記杆体に押し付けられ、前記杆体と前記２つの挟持ブロックとを固定し、前記挟持ユニットは、前記電動ロールスクリーン装置の前記スクリーンユニットの前記巻布が垂下げられたときにそれぞれ挟持し、垂下げられた前記スクリーンユニットの前記巻布を平坦な状態に保持し、
前記結合部材は、オス型面ファスナー部及びメス型面ファスナー部を有し、前記オス型面ファスナー部は、前記電動ロールスクリーン装置の前記フレームユニットの前記固定レールの背面に接着され、前記メス型面ファスナー部は、前記スクリーン装置の前記スクリーン用の布の前面頂端に縫着され、前記メス型面ファスナー部と前記オス型面ファスナー部とは着脱可能な状態に結合され、前記スクリーン装置と前記電動ロールスクリーン装置とは着脱可能であることを特徴とする省エネ型コードレス電動ロールスクリーン構造。
【請求項２】
前記電動ロールスクリーン装置の前記フレームユニットの前記固定レールは、収容槽を有し、
前記収容槽の両側端には、前記第１の側座及び前記第２の側座がそれぞれ嵌着固定されることを特徴とする請求項１に記載の省エネ型コードレス電動ロールスクリーン構造。
【請求項３】
前記第１の側座は、前記固定レールが嵌着される少なくとも１つの前記収容槽の一側端が固定される係合端と、前記伝動ユニットが嵌着固定される収容孔と、連結孔とを有し、
前記第２の側座は、前記固定レールを嵌着する少なくとも１つの前記収容槽の他方の側端が固定される係合端と、前記スクリーンユニットの前記伝動軸の前記枢着端が嵌着位置決めされる収容孔とを有し、前記伝動軸の前記枢着端が前記回転ホイールアセンブリに枢着されることを特徴とする請求項２に記載の省エネ型コードレス電動ロールスクリーン構造。
【請求項４】
前記伝動ユニットは、伝動車輪、位置決め端部、駆動モータ及び導線を有し、
前記伝動車輪は、一端に当て盤が設けられ、他端に結合孔が形成され、
前記位置決め端部は、全体として角柱状になっていて、前記伝動車輪に設けた前記当て盤の一端面が延び、前記位置決め端部は、前記フレームユニットの前記第１の側座の前記収容孔に嵌着され、
前記駆動モータは、前記伝動車輪の前記結合孔に結合されるように設置され、
前記導線は、前記駆動モータに接続されて前記伝動車輪及び前記位置決め端部に挿設されて露出された状態であり、前記導線の一端には、接続装置が設けられ、前記接続装置は、前記フレームユニットの前記第１の側座の前記連結孔に固定されるとともに、前記信号受信器が挿設されることを特徴とする請求項３に記載の省エネ型コードレス電動ロールスクリーン構造。
【請求項５】
前記信号受信器は、ハウジング、電源線、連結先端、受信モジュール及び電源供給モジュールを有し、
前記電源線の一端は、前記ハウジングの一端に設けられ、
前記連結先端は、前記電源線の他端に設けられるとともに、前記伝動ユニットの前記導線の前記接続装置に挿着されて電気的に接続され、
前記受信モジュールは、前記ハウジング内に設置され、前記電源線と電気的に接続されるとともに、前記制御器から送信された信号を受信し、
前記電源供給モジュールは、前記ハウジング内に配設され、前記信号受信器及び前記伝動ユニットに必要な電力を供給することを特徴とする請求項４に記載の省エネ型コードレス電動ロールスクリーン構造。
【請求項６】
前記伝動ユニットの前記駆動モータには、直流モータが用いられ、
前記直流モータの直流電圧は１２Ｖ以下であり、直流電圧は４．５Ｖであることを特徴とする請求項４に記載の省エネ型コードレス電動ロールスクリーン構造。
【請求項７】
前記伝動ユニットの前記駆動モータの一端には、位置決め盤が設けられ、
前記位置決め盤の周囲には、複数の位置決め溝が取り囲むように形成され、
前記スクリーンユニットの前記伝動軸の前記チャンバに前記駆動モータが設置されて位置決めされ、
前記伝動軸の前記チャンバ内には、前記駆動モータの前記位置決め盤の前記位置決め溝に対応した複数本の位置決めリブが設けられることを特徴とする請求項４に記載の省エネ型コードレス電動ロールスクリーン構造。
【請求項８】
前記スクリーン装置の各前記挟持ユニットの各前記挟持ブロックは、枢着部を有し、
前記枢着部の一側端には、前記杆体を枢着する枢着孔が形成され、
前記枢着部の前端には、前記枢着孔と連通する階段状ねじ孔が形成され、
前記階段状ねじ孔には、前記固定部材が螺着されて前記杆体に押し付けられ、
前記枢着部の前端には、横方向へ延びた挟持杆が延設されていることを特徴とする請求項１に記載の省エネ型コードレス電動ロールスクリーン構造。
【考案の詳細な説明】
【技術分野】
【０００１】
本考案は、コードレス電動ロールスクリーン構造にするものであり、さらに詳しくは、垂下げたスクリーン巻取ユニットを平坦な状態に保持する省エネ型コードレス電動ロールスクリーン構造に関するものである。
【背景技術】
【０００２】
ローマンシェード、プリーツスクリーンなどの従来のブラインド及びカーテンは、プルコードを用いて制御・移動させる構造のものである。プルコードは、両手で引っ張ることができる位置までヘッドボックスから垂下させることができる。また、プルコードを引っ張ると、ブラインド及びカーテンを水平移動させることができる。しかし、プルコード式カーテンは、目障りなプルコードがカーテンの側辺に位置するため見た目に悪影響を及ぼし、実際に使用する際、ユーザ自らがカーテンのプルコードの所まで移動して操作しなければならず、昇降動作を遠隔操作することができず、利便性が低い上、家に小さな子どもがいる場合、子どもが好奇心から又はふざけて遊ぶときに露出したプルコードが首部に巻き付いて外れなくなり、窒息死する虞があり、子どもにとって安全性に問題があった。そのため、露出するプルコードを使用しないコードレスカーテンが市販されている（図９を参照する。）このコードレスカーテンは、巻取ユニット４及びスクリーン５を含む。巻取ユニット４には、軸心４１が設けられている。スクリーン５の頂端は、巻取ユニット４の軸心４１と固着され、スクリーン５は、軸心４１が回転すると軸心４１の外側に巻き取られるか下方へ繰り出されるため、安全かつ便利に操作したり使用したりすることができる特性を有する。
【０００３】
しかし、上述した従来技術では、従来のスクリーン５は巻取ユニット４の軸心４１が回転すると自動的に巻き取られるが、スクリーン５が繰り出されて垂れ下がると、両側辺が支持されないため、両側辺が曲がり易くなり、スクリーン５が展開されるときに平坦でなくなってコードレスカーテンを使用する際の美感が良くなく、実際に使用する際、依然として改良の余地があった。
【考案の概要】
【考案が解決しようとする課題】
【０００４】
従って、本考案の課題は、スクリーン巻取ユニットを垂下げるときに平坦な状態に保持可能な省エネ型コードレス電動ロールスクリーン構造を提供することにある。
【課題を解決するための手段】
【０００５】
そこで、本考案者は、前記課題を解決するため、鋭意検討を重ねた結果、後述の通りの構成をとることにより、前記課題を解決することができる点に着目し、本考案に想到するに至った。
すなわち、本考案の省エネ型コードレス電動ロールスクリーン構造は、窓に取り付けるコードレス電動ロールスクリーンに適用し、伝動ユニットがスクリーンユニットの伝動軸のチャンバ内に設置されると、伝動ユニットの伝動車輪の当て盤及び駆動モータの位置決め盤を介してチャンバに位置決めされ、駆動モータが回転すると駆動モータの位置決め盤が回転され、スクリーンユニットの伝動軸が運転状態となる。スクリーンユニットの巻布が垂下げられると、巻布の底端に重り杆が配設され、重り杆により巻布に下向きの力が中央部に集中され、スクリーン装置の各挟持ユニットの２つの挟持ブロックを用いてスクリーンユニットの巻布の両側辺が挟持され、スクリーンユニットを垂下げると、平坦な状態に保持することができる。スクリーンユニットの巻布を巻き上げる際、回転ホイールアセンブリによりスクリーンユニットの巻布の巻上げをアシストすると、伝動ユニットの運転の消費電力を減らして巻き上げに必要な消費電力を減らし、垂り下げたスクリーン巻取ユニットを平坦な状態に保持することができる。
かくして、本考案の要旨は次の（１）〜（８）に示す通りである。
（１）電動ロールスクリーン装置、スクリーン装置及び結合部材を備えた省エネ型コードレス電動ロールスクリーン構造であって、
前記電動ロールスクリーン装置は、スクリーンユニット、伝動ユニット、フレームユニット、信号受信器及び制御器を有し、
前記スクリーンユニットは、伝動軸、巻布及び重り杆を有し、前記伝動軸は、一端にチャンバが画成され、他端に枢着端が画成され、前記巻布は、頂端が前記伝動軸に連結固定され、底端がスクリーン管部に縫着され、前記重り杆は、前記スクリーン管部内に配設され、
前記伝動ユニットは、前記スクリーンユニットの前記伝動軸の前記チャンバ内に配設されるとともに、前記伝動軸により前記巻布を巻き上げたり繰り出して垂下げ、
前記フレームユニットには、前記スクリーンユニット及び前記伝動ユニットが組立結合され、前記フレームユニットは、固定レール、第１の側座、第２の側座及び回転ホイールアセンブリを有し、前記第１の側座は、前記固定レールの一端に設置されて結合されるとともに、前記伝動ユニットが嵌着固定され、前記第２の側座は、前記固定レールの他端に設置されて結合され、前記第２の側座は、前記スクリーンユニットの前記伝動軸の前記枢着端に嵌着固定され、前記回転ホイールアセンブリは、前記第２の側座内に配設されるとともに、前記スクリーンユニットの前記伝動軸の前記枢着端に枢着され、
前記信号受信器は、前記伝動ユニットと電気的に接続され、
前記制御器は、前記信号受信器と通信し、前記信号受信器へ信号を送信して前記伝動ユニットの運転動作のオン・オフを制御し、
前記スクリーン装置は、スクリーン用の布と、重り杆と、複数の挟持ユニットとを含み、
前記スクリーン用の布は、頂端が前記電動ロールスクリーン装置の前記フレームユニットの前記固定レールの後方上縁に固定されて垂下げた状態にし、前記スクリーン用の布の底端には、前記スクリーン管部が縫着され、前記スクリーン用の布の前面には、上下に配列された複数の穿孔スリーブが縫着され、
前記重り杆は、前記スクリーン用の布の前記スクリーン装置内に配設され、
前記挟持ユニットは、杆体と、２つの挟持ブロックと、複数の固定部材と、をそれぞれ有し、前記杆体は、前記スクリーン用の布の各前記穿孔スリーブ内にそれぞれ配設され、前記挟持ブロックは、前記杆体の両端にそれぞれ配設され、前記固定部材は、各前記挟持ブロックに螺着されて前記杆体に押し付けられ、前記杆体と前記２つの挟持ブロックとを固定し、前記挟持ユニットは、前記電動ロールスクリーン装置の前記スクリーンユニットの前記巻布が垂下げられたときにそれぞれ挟持し、垂下げられた前記スクリーンユニットの前記巻布を平坦な状態に保持し、
前記結合部材は、オス型面ファスナー部及びメス型面ファスナー部を有し、前記オス型面ファスナー部は、前記電動ロールスクリーン装置の前記フレームユニットの前記固定レールの背面に接着され、前記メス型面ファスナー部は、前記スクリーン装置の前記スクリーン用の布の前面頂端に縫着され、前記メス型面ファスナー部と前記オス型面ファスナー部とは着脱可能な状態に結合され、前記スクリーン装置と前記電動ロールスクリーン装置とは着脱可能であることを特徴とする省エネ型コードレス電動ロールスクリーン構造。
（２）前記電動ロールスクリーン装置の前記フレームユニットの前記固定レールは、収容槽を有し、
前記収容槽の両側端には、前記第１の側座及び前記第２の側座がそれぞれ嵌着固定されることを特徴とする前記（１）に記載の省エネ型コードレス電動ロールスクリーン構造。
（３）前記第１の側座は、前記固定レールが嵌着される少なくとも１つの前記収容槽の一側端が固定される係合端と、前記伝動ユニットが嵌着固定される収容孔と、連結孔とを有し、
前記第２の側座は、前記固定レールを嵌着する少なくとも１つの前記収容槽の他方の側端が固定される係合端と、前記スクリーンユニットの前記伝動軸の前記枢着端が嵌着位置決めされる収容孔とを有し、前記伝動軸の前記枢着端が前記回転ホイールアセンブリに枢着されることを特徴とする前記（２）に記載の省エネ型コードレス電動ロールスクリーン構造。
（４）前記伝動ユニットは、伝動車輪、位置決め端部、駆動モータ及び導線を有し、
前記伝動車輪は、一端に当て盤が設けられ、他端に結合孔が形成され、
前記位置決め端部は、全体として角柱状になっていて、前記伝動車輪に設けた前記当て盤の一端面が延び、前記位置決め端部は、前記フレームユニットの前記第１の側座の前記収容孔に嵌着され、
前記駆動モータは、前記伝動車輪の前記結合孔に結合されるように設置され、
前記導線は、前記駆動モータに接続されて前記伝動車輪及び前記位置決め端部に挿設されて露出された状態であり、前記導線の一端には、接続装置が設けられ、前記接続装置は、前記フレームユニットの前記第１の側座の前記連結孔に固定されるとともに、前記信号受信器が挿設されることを特徴とする前記（３）に記載の省エネ型コードレス電動ロールスクリーン構造。
（５）前記信号受信器は、ハウジング、電源線、連結先端、受信モジュール及び電源供給モジュールを有し、
前記電源線の一端は、前記ハウジングの一端に設けられ、
前記連結先端は、前記電源線の他端に設けられるとともに、前記伝動ユニットの前記導線の前記接続装置に挿着されて電気的に接続され、
前記受信モジュールは、前記ハウジング内に設置され、前記電源線と電気的に接続されるとともに、前記制御器から送信された信号を受信し、
前記電源供給モジュールは、前記ハウジング内に配設され、前記信号受信器及び前記伝動ユニットに必要な電力を供給することを特徴とする前記（４）に記載の省エネ型コードレス電動ロールスクリーン構造。
（６）前記伝動ユニットの前記駆動モータには、直流モータが用いられ、
前記直流モータの直流電圧は１２Ｖ以下であり、直流電圧は４．５Ｖであることを特徴とする前記（４）に記載の省エネ型コードレス電動ロールスクリーン構造。
（７）前記伝動ユニットの前記駆動モータの一端には、位置決め盤が設けられ、
前記位置決め盤の周囲には、複数の位置決め溝が取り囲むように形成され、
前記スクリーンユニットの前記伝動軸の前記チャンバに前記駆動モータが設置されて位置決めされ、
前記伝動軸の前記チャンバ内には、前記駆動モータの前記位置決め盤の前記位置決め溝に対応した複数本の位置決めリブが設けられることを特徴とする前記（４）に記載の省エネ型コードレス電動ロールスクリーン構造。
（８）前記スクリーン装置の各前記挟持ユニットの各前記挟持ブロックは、枢着部を有し、
前記枢着部の一側端には、前記杆体を枢着する枢着孔が形成され、
前記枢着部の前端には、前記枢着孔と連通する階段状ねじ孔が形成され、
前記階段状ねじ孔には、前記固定部材が螺着されて前記杆体に押し付けられ、
前記枢着部の前端には、横方向へ延びた挟持杆が延設されていることを特徴とする前記（１）に記載の省エネ型コードレス電動ロールスクリーン構造。
【考察の効果】
【０００６】
本考案は、前記の通りの構成からなり、前記の通り、垂り下げたスクリーン巻取ユニットを容易に平坦な状態に保持することができる。また、伝動ユニットの運転の消費電力を減少させることにより、スクリーン巻取ユニットの消費電力を減少させることができる。
【図面の簡単な説明】
【０００７】
【図１】図１は、本考案の一実施形態に係る省エネ型コードレス電動ロールスクリーン構造を示す斜視図である。
【図２】図２は、本考案の一実施形態に係る省エネ型コードレス電動ロールスクリーン構造を示す分解斜視図である。
【図３】図３は、本考案の一実施形態に係る省エネ型コードレス電動ロールスクリーン構造の電動ロールスクリーン装置を示す分解斜視図である。
【図４】図４は、本考案の一実施形態に係るコードレス電動省エネ型ロールスクリーン構造の電動ロールスクリーン装置の伝動ユニットを示す分解斜視図である。
【図５】図５は、本考案の一実施形態に係るコードレス電動省エネ型ロールスクリーン構造のスクリーン装置の挟持ユニットを示す分解斜視図である。
【図６】図６は、本考案の一実施形態に係るコードレス電動省型エネロールスクリーン構造の使用状態を示す説明図である。
【図７】図７は、図６のＡ部分の部分拡大図である。
【図８】図８は、図６のＢ部分の部分拡大図である。
【図９】図９は、従来のロールスクリーン装置の斜視図である。
【考案を実施するための形態】
【０００８】
次に、本考案を図面に基いて説明する。もっとも、本考案は、かかる図面に限定されるものではない。
まず、図１〜図５を参照する。図１〜図５に示すように、本考案の一実施形態に係るコードレス電動省型エネロールスクリーン構造は、少なくとも電動ロールスクリーン装置１、スクリーン装置２及び結合部材３から構成されてなる。
【０００９】
電動ロールスクリーン装置１は、スクリーンユニット１１、伝動ユニット１２、フレームユニット１３、信号受信器１４及び制御器１５を有する。
【００１０】
スクリーンユニット１１は、伝動軸１１１、巻布１１２及び重り杆１１３を有する。伝動軸１１１は、一端が延びてチャンバ１１１１が凹設され、他端が延びて枢着端１１１２が突設される。巻布１１２は、切断して所定の長さに成形される。巻布１１２は、頂端が伝動軸１１１に連結固定され、底端がスクリーン管部１１２１に縫着される。スクリーン管部１１２１には、巻布１１２が取り囲むようその周囲に設けられて縫着される。重り杆１１３は、スクリーン管部１１２１内に配設される。
【００１１】
伝動ユニット１２は、スクリーンユニット１１の伝動軸１１１のチャンバ１１１１内に配設される。伝動ユニット１２は、伝動軸１１１を駆動させて巻布１１２を巻き上げたり繰り出して垂下げたりすることができる。
【００１２】
フレームユニット１３には、スクリーンユニット１１及び伝動ユニット１２が組立結合される。フレームユニット１３は金属材料からなる。金属材料は、銅、ステンレス、アルミニウム、亜鉛又は鉄から選択する。フレームユニット１３は、固定レール１３１、第１の側座１３２、第２の側座１３３及び回転ホイールアセンブリ１３４を有する。固定レール１３１は、全体として長尺状になっている。第１の側座１３２は、固定レール１３１の一端に設置されて結合されるとともに、伝動ユニット１２が嵌着固定される。第２の側座１３３は、固定レール１３１の他端に設置されて結合される。第２の側座１３３は、スクリーンユニット１１の伝動軸１１１の枢着端１１１２に嵌着固定される。回転ホイールアセンブリ１３４は、第２の側座１３３内に配設される。回転ホイールアセンブリ１３４は、スクリーンユニット１１の伝動軸１１１の枢着端１１１２に枢着される。回転ホイールアセンブリ１３４がスクリーンユニット１１の巻布１１２を巻き上げるとき、伝動ユニット１２が運転する際の電力消費量を減らし、スクリーンユニット１１の巻布１１２を巻き上げるのに必要な消費電力を減らすことができる。
【００１３】
信号受信器１４は、伝動ユニット１２と電気的に接続される。
【００１４】
制御器１５は、信号受信器１４と通信し、信号受信器１４へ信号を送信して伝動ユニット１２の運転動作のオン・オフを制御する。
【００１５】
スクリーン装置２は、スクリーン用の布２１と、重り杆２２と、複数の挟持ユニット２３とを含む。
【００１６】
スクリーン用の布２１は、切断されて所定の長さに成形される。スクリーン用の布２１は、頂端が電動ロールスクリーン装置１のフレームユニット１３の固定レール１３１の後方上縁に固定されて垂下げた状態にされ、スクリーン用の布２１の底端には、スクリーン装置２１１が縫着される。スクリーン装置２１１は、スクリーン用の布２１を取り囲むように設けた後に縫着される。スクリーン用の布２１の前面には、上下に配列された複数の穿孔スリーブ２１２が縫着される。穿孔スリーブ２１２は、布材料からなり、スクリーン用の布２１の前面に縫着されて形成される。スクリーン用の布２１の頂端は、延伸部２１３が延設される。
【００１７】
重り杆２２は、全体として長尺状になっている。重り杆２２は、スクリーン用の布２１のスクリーン装置２１１内に配設される。
【００１８】
これら複数の挟持ユニット２３は、杆体２３１と、２つの挟持ブロック２３２と、複数の固定部材２３３と、をそれぞれ有する。杆体２３１は、全体として長尺状になっていて、スクリーン用の布２１の各穿孔スリーブ２１２内にそれぞれ配設される。挟持ブロック２３２は、杆体２３１の両端にそれぞれ配設される。固定部材２３３は、各挟持ブロック２３２に螺着されて杆体２３１に押し付けられ、杆体２３１と２つの挟持ブロック２３２とを固定する。これら複数の挟持ユニット２３は、電動ロールスクリーン装置１のスクリーンユニット１１の巻布１１２が垂下げられた状態になったときに挟持し、垂下げられたスクリーンユニット１１の巻布１１２が平坦な状態に保持される。
【００１９】
結合部材３は、オス型面ファスナー部３１及びメス型面ファスナー部３２を有する。オス型面ファスナー部３１は、電動ロールスクリーン装置１のフレームユニット１３の固定レール１３１の背面に接着される。メス型面ファスナー部３２は、スクリーン装置２のスクリーン用の布２１の前面頂端に縫着される。メス型面ファスナー部３２とオス型面ファスナー部３１とは着脱可能な状態に結合され、スクリーン装置２と電動ロールスクリーン装置１とは着脱可能である。
【００２０】
以下、上述した構造を詳細に説明する。
（１）電動ロールスクリーン装置１のフレームユニット１３の固定レール１３１には、収容槽１３１１が形成される。収容槽１３１１の両側端には、第１の側座１３２及び第２の側座１３３がそれぞれ嵌着固定される。
【００２１】
第１の側座１３２は、固定レール１３１が嵌着される少なくとも１つの収容槽１３１１の一側端に固定される係合端１３２１を有し、第１の側座１３２と固定レール１３１とは着脱可能であり、伝動ユニット１２が嵌着固定される収容孔１３２２と、連結孔１３２３とをさらに有する。第２の側座１３３は、固定レール１３１を嵌着する少なくとも１つの収容槽１３１１の他方の側端が固定される係合端１３３１を有し、第２の側座１３３と固定レール１３１とは着脱可能であり、スクリーンユニット１１の伝動軸１１１の枢着端１１１２を嵌着位置決めする収容孔１３３２を有し、伝動軸１１１の枢着端１１１２が回転ホイールアセンブリ１３４に枢着される。
【００２２】
伝動ユニット１２は、伝動車輪１２１、位置決め端部１２２、駆動モータ１２３及び導線１２４を有する。伝動車輪１２１は、一端に当て盤１２１１が設けられ、他端に結合孔１２１２が凹設される。位置決め端部１２２は、全体として角柱状になっていて、伝動車輪１２１に設けた当て盤１２１１の一端面が延びた状態である。位置決め端部１２２は、フレームユニット１３の第１の側座１３２の収容孔１３２２に嵌着された状態である。駆動モータ１２３は、伝動車輪１２１の結合孔１２１２に結合された状態で設置される。伝動ユニット１２の駆動モータ１２３には、直流モータが用いられる。前述した直流モータの直流電圧は１２Ｖ以下であり、直流電圧は約４．５Ｖであることが最適である。導線１２４は、駆動モータ１２３に接続されて伝動車輪１２１及び位置決め端部１２２に挿設されて露出された状態である。導線１２４の一端には、接続装置１２４１が設けられる。接続装置１２４１は、フレームユニット１３の第１の側座１３２の連結孔１３２３に嵌着されるとともに、信号受信器１４が挿設される。
【００２３】
信号受信器１４は、ハウジング１４１、電源線１４２、連結先端１４３、受信モジュール１４４及び電源供給モジュール１４５を有する。ハウジング１４１の内部は中空状である。電源線１４２の一端は、ハウジング１４１の一端に設けられる。連結先端１４３は、電源線１４２の他端に設けられる。連結先端１４３は、伝動ユニット１２の導線１２４の接続装置１２４１に挿着して電気的に接続される。受信モジュール１４４は、ハウジング１４１内に設置され、電源線１４２と電気的に接続される。受信モジュール１４４は、制御器１５から送信された信号を受信する。電源供給モジュール１４５は、ハウジング１４１内に配設され、信号受信器１４及び伝動ユニット１２に必要な電力を供給する。
【００２４】
伝動ユニット１２の駆動モータ１２３の一端には、位置決め盤１２３１が設けられる。位置決め盤１２３１の周囲には、複数の位置決め溝１２３２が取り囲むように形成され、スクリーンユニット１１の伝動軸１１１のチャンバ１１１１に駆動モータ１２３が設置されて位置決めされる。伝動軸１１１のチャンバ１１１１内には、駆動モータ１２３の位置決め盤１２３１の位置決め溝１２３２に対応した複数本の位置決めリブ１１１３が設けられ、駆動モータ１２３が運転すると、駆動モータ１２３の位置決め盤１２３１が回転され、スクリーンユニット１１の伝動軸１１１が運転状態となる。
【００２５】
（２）スクリーン装置２の各挟持ユニット２３の各挟持ブロック２３２は、枢着部２３２１を有する。枢着部２３２１の一側端には、杆体２３１を枢着する枢着孔２３２２が形成される。枢着部２３２１の前端には、枢着孔２３２２と連通する階段状ねじ孔２３２３が形成される。階段状ねじ孔２３２３には、固定部材２３３が螺着されて杆体２３１に押し付けられる。固定部材２３３はねじでもよく、枢着部２３２１の前端には、横方向へ延びた挟持杆２３２４が延設されている。
【００２６】
図６〜図８を示す。図６〜図８に示すように、本考案の一実施形態に係るコードレス電動省エネロールスクリーン構造を、窓に取り付けるコードレス電動ロールスクリーンに適用し、コードレス電動ロールスクリーンをドア、窓枠に掛設するか当接すると、伝動ユニット１２がスクリーンユニット１１の伝動軸１１１のチャンバ１１１１内に配設されるときに、伝動ユニット１２の伝動車輪１２１の当て盤１２１１及び駆動モータ１２３の位置決め盤１２３１によりチャンバ１１１１に位置決めされる。伝動車輪１２１の当て盤１２１１がスクリーンユニット１１の伝動軸１１１の端部に当接され、駆動モータ１２３の位置決め盤１２３１の周囲の各位置決め溝１２３２に、伝動軸１１１のチャンバ１１１１内の各位置決めリブ１１１３が嵌着されると、スクリーンユニット１１の伝動軸１１１のチャンバ１１１１内に取り付けられた伝動ユニット１２が固定された状態となる。駆動モータ１２３が運転すると駆動モータ１２３の位置決め盤１２３１を回転させ、スクリーンユニット１１の伝動軸１１１を運転状態にし、制御器１５のボタンを押すと、信号受信器１４のハウジング１４１内の受信モジュール１４４に信号が送信され、伝動ユニット１２の運転のオン・オフを制御することができる。伝動ユニット１２の導線１２４の接続装置１２４１に信号受信器１４の電源線１４２の一端の連結先端１４３が挿着されると電気的に接続される。伝動ユニット１２の導線１２４は、フレームユニット１３の第１の側座１３２内に内蔵され、スクリーンユニット１１の伝動軸１１１を回転させ、スクリーンユニット１１の巻布１１２が垂下げられるときに、スクリーンユニット１１の巻布１１２を状況に応じて半分折り畳むか全て折り畳む。巻布１１２の底端には、重り杆１１３が配設され、重り杆１１３により巻布１１２に下向きの力が中央部に集中され（図７を参照する）、スクリーン装置２の各挟持ユニット２３の２つの挟持ブロック２３２中の挟持杆２３２４を用いてスクリーンユニット１１の巻布１１２の両側辺を挟持し、電動ロールスクリーン装置１のスクリーンユニット１１の巻布１１２を垂下げると、平坦な状態に保持することができ（図８を参照する）、自宅又は事務室のドア又は窓枠を装飾することができる上、室内の採光状況を改善し、照明輝度を高めることもでき、太陽光線が直接照射されて眩しく感じたり温度が上昇したりするなどの欠点を改善することができる。
【００２７】
制御器１５のボタンを押すと、信号受信器１４のハウジング１４１内の受信モジュール１４４へ信号が送信され、伝動ユニット１２の運転のオン・オフを制御し、スクリーンユニット１１の巻布１１２を巻き上げる際、回転ホイールアセンブリ１３４のアシストによりスクリーンユニット１１の巻布１１２を巻き上げる際、伝動ユニット１２の駆動モータ１２３が運転する際の消費電力が減るため、巻き上げに必要な消費電力を減らし、スクリーンユニット１１の巻布１１２を状況に応じて半分折り畳むか全て折り畳む。駆動モータ１２３には直流モータが用いられる。前述した直流モータの直流電圧は１２Ｖ以下であり、直流電圧は約４．５Ｖであることが最適である。このように、本考案のコードレス電動省エネ型ロールスクリーン構造は、スクリーンユニット１１が垂下げられるときに平坦な状態に保持することができる。
【符号の説明】
【００２８】
１  電動ロールスクリーン装置
２  スクリーン装置
３  結合部材
４  巻取ユニット
５  スクリーン
１１  スクリーンユニット
１２  伝動ユニット
１３  フレームユニット
１４  信号受信器
１５  制御器
２１  スクリーン用の布
２２  重り杆
２３  挟持ユニット
３１  オス型面ファスナー部
３２  メス型面ファスナー部
４１  軸心
１１１  伝動軸
１１２  巻布
１１３  重り杆
１２１  伝動車輪
１２２  位置決め端部
１２３  駆動モータ
１２４  導線
１３１  固定レール
１３２  第１の側座
１３３  第２の側座
１３４  回転ホイールアセンブリ
１４１  ハウジング
１４２  電源線
１４３  連結先端
１４４  受信モジュール
１４５  電源供給モジュール
２１１  スクリーン装置
２１２  穿孔スリーブ
２１３  延伸部
２３１  杆体
２３２  挟持ブロック
２３３  固定部材
１１１１  チャンバ
１１１２  枢着端
１１１３  位置決めリブ
１１２１  スクリーン管部
１２１１  当て盤
１２１２  結合孔
１２３１  位置決め盤
１２３２  位置決め溝
１２４１  接続装置
１３１１  収容槽
１３２１  係合端
１３２２  収容孔
１３２３  連結孔
１３３１  係合端
１３３２  収容孔
２３２１  枢着部
２３２２  枢着孔
２３２３  階段状ねじ孔
２３２４  挟持杆
【図１】
0003205532.tif 000003
【図２】
0003205532.tif 000004
【図３】
0003205532.tif 000005
【図４】
0003205532.tif 000006
【図５】
0003205532.tif 000007
【図６】
0003205532.tif 000008
【図７】
0003205532.tif 000009
【図８】
0003205532.tif 000010
【図９】
0003205532.tif 000011